(57)【要約】【課題】不特定多数の乗客にとって必要とされる広告情報を効果的に配信する車両向けの配信技術を提供する。【解決手段】広告システムは、不特定多数の利用者が乗車している車両に表示させる広告情報を決定することと、広告情報と不特定多数の利用者との間の関連性を特定することと、不特定多数の利用者全体としての関連性が所定の条件に該当するときには、広告情報を車両に提示することと、不特定多数の利用者全体としての関連性が所定の条件に該当しないときには、不特定多数の利用者の中の、広告情報との間の関連性が高い第１利用者の第１端末に対して第１端末を振動させる振動情報とともに広告情報をプッシュ型配信で提示し、広告情報との間の関連性が低い第２利用者の第２端末に対して、第２端末への操作の検出を契機として広告情報をプル型配信で提示することと、を実行する制御部を備える。【選択図】図９
2020064369.tif 000002
【特許請求の範囲】
【請求項１】
不特定多数の利用者が乗車している車両に表示させる広告情報を決定することと、
前記広告情報と前記不特定多数の利用者との間の関連性を特定することと、
前記不特定多数の利用者全体としての関連性が所定の条件に該当するときには、前記広告情報を前記車両に提示することと、
前記不特定多数の利用者全体としての関連性が所定の条件に該当しないときには、前記不特定多数の利用者の中の、前記広告情報との間の関連性が高い第１利用者の第１端末に対して前記第１端末を振動させる振動情報とともに前記広告情報をプッシュ型配信で提示し、前記広告情報との間の関連性が低い第２利用者の第２端末に対して、前記第２端末への操作の検出を契機として前記広告情報をプル型配信で提示することと、
を実行する制御部を備える広告システム。
【発明の詳細な説明】
【技術分野】
【０００１】
本発明は、不特定多数の乗客が乗車する車両向けの広告システムに関する。
【背景技術】
【０００２】
特許文献１は、路線バス等の車内で地域に密着した新鮮な広告情報を提供する、とされる技術を開示する。
【先行技術文献】
【特許文献】
【０００３】
【特許文献１】特開２００４−２７２００７号公報
【発明の概要】
【発明が解決しようとする課題】
【０００４】
しかしながら、上記背景技術において、車両向けに配信される広告情報には、閲覧する乗客にとって必要な広告と、そうでない広告が存在するため、広告情報の配信には改善の余地がある。本発明は、不特定多数の乗客にとって必要とされる広告情報を効果的に配信する車両向けの配信技術の提供を目的とする。
【課題を解決するための手段】
【０００５】
本発明の態様の一つは、広告システムとして例示される。本広告システムは、不特定多数の利用者が乗車している車両に表示させる広告情報を決定することと、広告情報と不特定多数の利用者との間の関連性を特定することと、不特定多数の利用者全体としての関連性が所定の条件に該当するときには、広告情報を前記車両に提示することと、不特定多数の利用者全体としての関連性が所定の条件に該当しないときには、不特定多数の利用者の中の、広告情報との間の関連性が高い第１利用者の第１端末に対して第１端末を振動させる振動情報とともに広告情報をプッシュ型配信で提示し、広告情報との間の関連性が低い第２利用者の第２端末に対して、第２端末への操作の検出を契機として広告情報をプル型配信で提示することと、を実行する制御部を備える。
【発明の効果】
【０００６】
本発明によれば、不特定多数の乗客にとって必要とされる広告情報を効果的に配信する車両向けの配信技術が提供できる。
【図面の簡単な説明】
【０００７】
【図１】第１実施形態に係る広告システムのシステム構成の一例を示す図である。
【図２】広告配信サーバ、ユーザ端末、車載装置の各ハードウェア構成の一例を示す図である。
【図３】広告配信サーバの機能構成の一例を示す図である。
【図４】ユーザ情報ＤＢに格納されるユーザ情報の一例を示す図である。
【図５】広告情報ＤＢに格納される広告情報の一例を示す図である。
【図６】配信履歴ＤＢに格納される配信履歴情報の一例を示す図である。
【図７】広告配信サーバ、車載装置、乗員端末が実行する処理手順の一例を示すシーケンス図である。
【図８】広告配信サーバ、車載装置、乗員端末が実行する処理手順の一例を示すシーケンス図である。
【図９】Ｓ７の詳細な処理の一例を示すフローチャートである。
【発明を実施するための形態】
【０００８】
本実施の形態に係る広告システムは、車両に乗車する不特定多数の乗客に対して広告情報を配信するシステムである。不特定多数の乗客が乗車する車両として、例えば、路線バスや長距離の移動が可能な高速バス等が例示される。但し、不特定多数の乗客が乗車する車両は、鉄道車両、船舶、航空機といった公共交通機関等の移動体を含んでもよい。乗客は、上記車両を用いた移動を利用する利用者、あるいは、配信された広告情報の示すサービスを享受する消費者ということもできる。
【０００９】
上記車両に乗車する乗客にとっては、車両向けに配信される広告情報には、必要な広告と、そうでない広告が含まれているため閲覧の際には、選別できることが望ましい。一方、広告情報を提供する広告主（商品やサービスを提供する企業、代理店等）にとっては、効果的に配信できることが望ましい。
【００１０】
そこで、本実施の形態に係る広告システムは、広告情報と不特定多数の利用者との間の関連性を特定し、不特定多数の利用者全体としての関連性が所定の条件に該当するときには、広告情報を車両に提示する構成とした。また、本実施の形態に係る広告システムは、不特定多数の利用者全体としての関連性が所定の条件に該当しないときには、不特定多数の利用者の中の、広告情報との間の関連性が高い第１利用者の第１端末に対して第１端末を振動させる振動情報とともに広告情報をプッシュ型配信で提示し、広告情報との間の関連性が低い第２利用者の第２端末に対して、第２端末への操作の検出を契機として広告情報をプル型配信で提示する構成とした。
【００１１】
このような構成によれば、不特定多数の乗客全体に必要性の高い広告情報を予め選別し、乗客が乗車する車両向けに効果的に配信できる。また、広告情報が不特定多数の乗客全体と関連しない場合であっても、広告情報の提供を必要とする乗客には個別的に配信できるため、広告情報の宣伝効果を高めることもできる。個別的な配信形態として、関連性の高い乗客には気付きを喚起する振動とともに配信できるため、広告情報への閲覧の蓋然性を高めることができる。また、乗客との関連性が低い広告情報であっても、端末への操作を契機として配信できるため、当該広告情報への閲覧が期待できる。
【００１２】
以下、図面を参照して、一実施の形態を説明する。以下の実施形態の構成は例示であり、発明を実施するための態様は、以下に説明する実施形態の構成には限定されない。
【００１３】
＜第１実施形態＞
（システム概要）
図１は、第１実施形態に係る広告システム１のシステム構成の一例を示す図である。図１の広告システム１は、車両Ｖ１に乗車している不特定多数の乗客にとって関連性の高い広告情報を効果的に配信するシステムである。不特定多数の乗客が乗車する車両は、例えば、路線バスや高速バス等である。また、広告情報には、広告主が提供する静止画像や動画像（映像）、メッセージ情報等の広告コンテンツ、クーポンやポイント、割引きといった特典情報が含まれる。また、広告情報には、当該情報にアクセスするためのコード情報（例えば、２次元コード）が含まれる。
【００１４】
本実施形態に係る広告システム１は、ネットワークＮ１によって相互に接続される広告配信サーバ１０と、複数のユーザ端末（２０＃１から２０＃ｎ）と、車両Ｖ１に搭載される車載装置３０を含んで構成される。複数のユーザ端末（２０＃１から２０＃ｎ）は、車両Ｖ１に乗車している不特定多数の乗客（以下、「ユーザ」とも称す）のそれぞれが携帯する情報処理端末である。ネットワークＮ１は、例えば、インターネット等の公衆ネットワークである。但し、ネットワークＮ１は、ＷｉＦｉ等の無線通信、ＬＴＥ、ＬＴＥ−Ａｄｖａｎｃｅｄ、３Ｇ等の携帯電話網の無線ネットワーク、ＶＰＮ（Virtual Private Ne
twork）等の専用ネットワーク、ＬＡＮ（Local Area Network）等のネットワークを含ん
でもよい。
【００１５】
また、複数のユーザ端末（２０＃１から２０＃ｎ）と車載装置３０とは、ネットワークＮ２を通じて直接に通信可能である。ネットワークＮ２は、例えば、ブルートゥース（Bluetooth（登録商標））やＮＦＣ（Near Field Communication）、ＵＷＢ（Ultra-Wideband）、ＷｉＦｉ（登録商標）、ＢＬＥ（Bluetooth Low Energy）等を含む近距離無線ネッ
トワークである。
【００１６】
図１では、１台の広告配信サーバ１０と、車両Ｖ１に搭載される車載装置３０が代表的に例示される。ネットワークＮ１には、複数の広告配信サーバ１０が接続され得る。また、ネットワークＮ１に接続される車載装置３０の台数は何台であってもよい。以下では、広告配信サーバ１０を単に「サーバ１０」、車載装置３０を「装置３０」とも称す。また、複数のユーザ端末を総称して「ユーザ端末２０」、あるいは単に「端末２０」とも言う。
【００１７】
端末２０は、スマートフォン、携帯電話端末、タブレット端末、個人情報端末、ウェアラブルコンピュータ（スマートウォッチ等）等の小型なコンピュータである。但し、端末２０は、車両Ｖ１に乗車する乗客が携帯可能なＰＣ（Personal Computer）であってもよ
い。
【００１８】
端末２０には、広告情報の提供を受けるためのプリケーションプログラム（以下、「アプリ」とも称す）がインストールされている。アプリのインストール時には、当該端末を一意に識別する識別情報（ユーザＩＤ）、プッシュ型で配信される広告情報を受信するための識別情報（登録ＩＤ）が付与される。なお、端末２０に付与される登録ＩＤは定期的に更新される。
【００１９】
本実施形態に係る端末２０は、アプリの実行を介して、当該端末宛にプッシュ型で配信された広告情報を受信する。プッシュ型で配信される広告情報には、端末２０を振動させるための情報（振動情報）が付加される。アプリが実行された端末２０は、振動情報に基づいて当該端末のバイブレーション機能を機能させるとともに、配信された広告情報をＬＣＤ（Liquid Crystal Display）等の表示デバイスに表示させる。
【００２０】
また、端末２０は当該端末へのユーザの操作を検出すると、アプリの実行を介し、プル型で配信される広告情報の配信要求をサーバ１０に送信する。端末２０は、ユーザの操作の検出に基づく配信要求に応じて当該端末宛にプル型で配信された広告情報を取得し、ＬＣＤ等の表示デバイスに表示させる。
【００２１】
端末２０に配信された広告情報を閲覧したユーザは、表示デバイスに表示された、上記情報にアクセスするためのコード情報をメモリ等に保存する。また、車両内に配信された広告情報を閲覧したユーザは、カメラ等を介して広告情報に付与されたコード情報の読取りを行い、当該コード情報が指示する詳細情報等にアクセスする。
【００２２】
装置３０は、車両Ｖ１に搭載される情報処理装置である。装置３０には、当該装置を一意に識別する識別情報（装置ＩＤ）が予め付与される。本実施形態に係る装置３０は、車両Ｖ１に乗車する不特定多数の乗客の端末２０から、当該端末を一意に識別する識別情報（ユーザＩＤ）、および、プッシュ型で配信された広告情報や特典情報を受信するための登録ＩＤを取得する。端末２０からの、ユーザＩＤ、登録ＩＤの取得は、例えば、ネットワークＮ２を介して行われる。
【００２３】
装置３０は、例えば、不特定多数の乗客が乗車する車両Ｖ１内に、自装置の装置ＩＤを含むビーコン信号を送信する。ビーコン信号の送信の機会は、例えば、乗客の車両Ｖ１への乗降車時であってもよく、乗客が車両Ｖ１に乗車した後の移動時であってもよい。ビーコン信号を受信した端末２０は、アプリの実行を介し、自端末のユーザＩＤおよび登録ＩＤをビーコン信号に含まれる装置ＩＤを宛先として送信する。装置３０は、ビーコン信号に応じて車両Ｖ１内の各端末から送信されたユーザＩＤおよび登録ＩＤを取得して収集する。車両Ｖ１に乗車する不特定多数の乗客から収集された各端末の、ユーザＩＤおよび登録ＩＤは、ネットワークＮ１を通じてサーバ１０に送信される。装置３０は、各端末から収集したユーザＩＤおよび登録ＩＤを自装置の装置ＩＤとともに、定期的あるいはサーバ１０からの要求に応じて送信する。
【００２４】
また、装置３０は、サーバ１０から配信された広告情報を受信する。受信された広告情報は、装置３０の備える表示デバイスに表示される。装置３０の備える表示デバイスを通じて、サーバ１０から配信された広告コンテンツや特典情報が、車両Ｖ１に乗車する不特定多数の乗客に提示される。なお、装置３０の備える表示デバイスは、単体であってもよく複数であってもよい。例えば、車両内を複数の領域に区分けし、当該区分けされた領域毎に表示デバイスを複数に設けてもよい。
【００２５】
また、装置３０は、車両Ｖ１の位置情報（緯度、経度等）や経路情報を取得し、定期的あるいはサーバ１０からの要求に応じて当該位置情報をサーバ１０に通知してもよい。位置情報、経路情報は、道路の識別情報（例えば、リンク番号）や交差点等の識別情報（例えば、ノード番号）を含んでもよい。サーバ１０は、装置３０から取得した位置情報や経路情報に応じた広告情報を配信してもよい。
【００２６】
本実施形態に係るサーバ１０は、車両Ｖ１の不特定多数のユーザに配信される広告情報を管理するコンピュータである。広告情報は、当該情報を一意に識別する識別情報（広告ＩＤ）が付与されて管理される。サーバ１０は、広告情報と、アプリがインストールされた端末２０のユーザに関する情報をデータベースに保持する。ユーザに関する情報には、年齢や性別、職業、嗜好や趣味といったユーザの属性を示す情報（属性情報）が保持される。
【００２７】
サーバ１０は、広告情報と車両Ｖ１に乗車するユーザ全体との関連性を特定する。例えば、広告情報が公共機関や車両Ｖ１の運行を管理する企業からの報知情報のときには、当該広告情報は、ユーザ全体に対して関連する情報として特定される。サーバ１０は、広告情報がユーザ全体に関連する情報として特定されるときには、当該広告情報を装置３０に配信する。広告情報に含まれる広告コンテンツや特典情報は、装置３０の備える表示デバイスを通じて、車両Ｖ１に乗車する不特定多数の乗客に提示される。
【００２８】
また、広告情報と上記乗客との関連性は、例えば、装置３０から送信された端末毎のユーザＩＤに基づいて特定してもよい。サーバ１０は、例えば、装置３０から取得したユーザＩＤに基づいて、当該ユーザの嗜好や趣味、興味事といった情報を特定する。そして、サーバ１０は、ユーザの年齢や性別、嗜好や趣味、興味事等の属性情報に基づいて、当該ユーザと広告情報との関連性を特定する。例えば、性別が女性のユーザの場合では女性向けのファッションや化粧品等のジャンルに属する広告情報との関連性が特定され、性別が男性のユーザの場合では紳士服や靴、鞄等のジャンルに属する広告情報との関連性が特定される。
【００２９】
そして、サーバ１０は、例えば、装置３０を介して取得された不特定多数のユーザの中の、上記関連性を有すると特定されたユーザの占める割合に基づいて、当該広告情報とユーザ全体としての関連性を判断する。例えば、関連性を有すると特定されたユーザの、全
体に占める割合が所定の閾値を超えるときには、当該広告情報はユーザ全体に関連する情報として特定される。
【００３０】
但し、本実施形態に係るサーバ１０は、関連性を有すると特定されたユーザの占める割合が所定の閾値を超えないときには、上記関連性を有する各ユーザのそれぞれの端末２０宛に広告情報を配信することもできる。本実施形態に係るサーバ１０は、例えば、関連性を有すると特定されたユーザの中の関連性の高いユーザに対しては広告情報をプッシュ型で配信し、関連性の低いユーザに対しては当該広告情報をプル型で配信できる。広告情報のプッシュ型配信は、例えば、端末２０から取得した登録ＩＤに基づいて行われる。
【００３１】
例えば、女性向けのファッションや化粧品等のジャンルに属する広告情報に対して、性別が女性のユーザは当該広告情報の直接的な宣伝対象のため、関連性が高いユーザと言える。しかし、例えば、広告情報の直接的な宣伝対象を家族構成に含む男性（例えば、２０代から３０代の妻や娘を家族構成に含む男性）のユーザにおいても、当該広告情報は間接的な関連性を有すると言える。
【００３２】
本実施形態に係るサーバ１０は、ユーザの属性情報が広告情報と直接的な関連性を有する（関連性の高いユーザ）ときには、端末２０のバイブレーション機能を機能させる振動情報とともに広告情報をプッシュ型で配信する。アプリが実行された端末２０は、振動情報に基づいて当該端末のバイブレーション機能を機能させるとともに、配信された広告情報を表示デバイスに表示させる。広告コンテンツや特典情報を含む広告情報は、端末２０の振動とともに、表示デバイスに提示される。
【００３３】
また、本実施形態のサーバ１０は、ユーザの属性情報が広告情報と間接的な関連性を有する（関連性の低いユーザ）ときには、端末２０から送信された配信要求に応じて広告情報をプル型で配信する。アプリが実行された端末２０は、当該端末へのユーザの操作を検出し、広告情報の配信要求をサーバ１０に送信する。端末２０に配信された広告情報は、当該端末へのユーザの操作を契機として、表示デバイスに表示される。
【００３４】
本実施形態に係るサーバ１０は、広告情報と車両Ｖ１に乗車する不特定多数の乗客全体との関連性に基づいて当該広告情報を車両向けに配信することが可能になる。例えば、車両Ｖ１に乗車する不特定多数の乗客全体と関連する広告情報は、装置３０の備える表示デバイスを通じて車両内に表示できる。また、本実施形態に係るサーバ１０は、広告情報が不特定多数の乗客全体と関連しない場合であっても、関連性を有する乗客の端末２０宛に当該広告情報を配信できる。例えば、関連性の高い乗客には、気付きを喚起する端末２０の振動とともに広告情報を提示し、関連性の低い乗客には端末２０の操作を契機として広告情報を提示できる。振動とともに端末２０に配信される広告情報は、当該乗客との関連性が高く当該広告情報への注意を喚起できるため、優先して閲覧されることが期待できる。また、乗客との関連性が低い広告情報であっても、端末２０への操作を契機として配信・表示できるため、当該広告情報への閲覧が期待できる。
【００３５】
本実施形態によれば、広告情報と不特定多数の乗客との関連性に基づいて広告情報の配信形態の選別（全体提示、関連性の高い乗客に提示、関連性の低い乗客に提示）が可能になり、効果的な車両向け配信が可能になる。
【００３６】
（ハードウェア構成）
図２は、サーバ１０、端末２０、装置３０の各ハードウェア構成の一例を示す図である。図２において、サーバ１０は、バスによって相互に接続されたプロセッサ１０１、主記憶部１０２、補助記憶部１０３、通信部１０４を構成要素に備える。主記憶部１０２および補助記憶部１０３は、サーバ１０が読み取り可能な記録媒体である。上記の構成要素は
それぞれ複数に設けられてもよいし、一部の構成要素を設けないようにしてもよい。サーバ１０のプロセッサ１０１は、「制御部」の一例である。
【００３７】
プロセッサ１０１は、例えば、ＣＰＵ（Central Processing Unit）である。プロセッ
サ１０１は、主記憶部１０２の作業領域に実行可能に展開されたコンピュータプログラムを実行し、サーバ１０全体の制御を行う。プロセッサ１０１は、コンピュータプログラムの実行を通じて周辺機器の制御を行うことで所定の目的に合致した機能を提供する。なお、サーバ１０の提供する処理機能の一部が、ＤＳＰ（Digital Signal Processor）、ＡＳＩＣ（Application Specific Integrated Circuit）、ＧＰＵ（Graphics Processing Unit）等によって提供されてもよい。また、処理機能の少なくとも一部が、ＦＰＧＡ（Field-Programmable Gate Array）、数値演算プロセッサ、画像処理プロセッサ等の専用ＬＳＩ（large scale integration）、その他のディジタル回路、アナログ回路であってもよい
。
【００３８】
主記憶部１０２は、プロセッサ１０１が実行するコンピュータプログラム、プロセッサ１０１が処理するデータ等を記憶する。主記憶部１０２は、例えば、フラッシュメモリ、ＲＡＭ（Random Access Memory）やＲＯＭ（Read Only Memory）等である。補助記憶部１０３は、ＯＳ（Operating System）を含む各種のプログラムおよび各種のデータを読み書き自在に記録媒体に格納する不揮発性の記憶装置である。補助記憶部１０３は、例えば、フラッシュメモリ、ハードディスクドライブ（ＨＤＤ、Hard Disk Drive）、ＳＳＤ（Solid State Drive）等である。なお、ＯＳは、通信部１０４を介して接続される外部装置等とのデータの受け渡しを行う通信インターフェースプログラムを含む。通信部１０４は、ネットワークＮ１とのインタフェースである。通信部１０４は、例えば、ＬＡＮ（Local Area Network）インターフェースボード、無線通信のための無線通信回路を含む。
【００３９】
サーバ１０のハードウェア構成は、図２に示されるものに限定されない。サーバ１０は、例えば、可搬記録媒体に記録されたプログラムを読み込み、主記憶部１０２に展開し、実行することができる。可搬記録媒体は、例えば、ＵＳＢ（Universal Serial Bus）メモリ、ＣＤ（Compact Disc）、ＤＶＤ（Digital Versatile Disc）、Ｂｌｕ−ｒａｙ（登録商標）ディスクのようなディスク記録媒体である。
【００４０】
端末２０は、プロセッサ２０１と、主記憶部２０２と、補助記憶部２０３と、表示部２０４と、入力部２０５と、通信部２０６Ａと、通信部２０６Ｂを有する。プロセッサ２０１、主記憶部２０２、補助記憶部２０３、通信部２０６Ａについては、サーバ１０のプロセッサ１０１、主記憶部１０２、補助記憶部１０３、通信部１０４と同様であるため、説明は省略される。上記の構成要素はそれぞれ複数に設けられてもよいし、一部の構成要素を設けないようにしてもよい。なお、端末２０の補助記憶部２０３には、広告情報の提供を受けるためのアプリが格納される。
【００４１】
表示部２０４は、例えば、ＬＣＤ、ＥＬ（Electroluminescence）パネル等の表示デバ
イスである。表示部２０４は、端末２０宛に通知された情報を受信したことをユーザに報知する報知機能を有する。報知機能として、例えば、振動モータによる振動、ＬＥＤ等の発光デバイスによる発光、スピーカ等を介した音声出力（音声案内やメッセージ等）等が例示される。
【００４２】
入力部２０５は、例えば、文字等の記号を入力可能なタッチパネルや押しボタン、音声を入力可能なマイクロフォン、動画像や静止画像を撮像可能なカメラ等を含む。端末２０にインストールされたアプリは、入力部２０５を介してユーザの操作を検出する。通信部２０６Ｂは、例えば、ブルートゥースやＮＦＣ、ＢＬＥ等の近距離無線通信に対応する通信回路である。端末２０にインストールされたアプリは、通信部２０６Ｂを通じて装置３
０からのビーコン信号を受信し、自端末のユーザＩＤ、登録ＩＤを含む応答を装置３０に送信する。
【００４３】
装置３０は、プロセッサ３０１と、主記憶部３０２と、補助記憶部３０３と、表示部３０４と、入力部３０５と、通信部３０６Ａと、通信部３０６Ｂと、位置情報検出部３０７を有する。プロセッサ３０１、主記憶部３０２、補助記憶部３０３は、サーバ１０のプロセッサ１０１、主記憶部１０２、補助記憶部１０３と同様であるため、説明は省略される。また、表示部３０４、入力部３０５、通信部３０６Ａ、通信部３０６Ｂについては、端末２０の表示部２０４、入力部２０５、通信部２０６Ａ、通信部２０６Ｂと同様であるため、説明は省略される。上記の構成要素はそれぞれ複数に設けられてもよいし、一部の構成要素を設けないようにしてもよい。
【００４４】
位置情報検出部３０７は、装置３０が搭載される車両Ｖ１の位置情報を検出する手段である。位置情報検出部３０７は、例えば、地球の周囲を周回する複数のＧＰＳ（Global Positioning Satellite）衛星からのＧＰＳ信号に基づいて自装置の位置情報（緯度、経度）を検出する。位置情報検出部３０７は、検出した位置情報を所定の周期間隔で取得し、時刻情報に対応付けて記録する。位置情報検出部３０７によって記録された情報は、通信部３０６Ａを介してネットワークＮ１に接続されたサーバ１０に定期的、あるいは、サーバ１０の要求に応じて送信される。
【００４５】
（機能構成）
図３は、サーバ１０の機能構成の一例を示す図である。サーバ１０は、機能構成要素として、端末情報取得部１１、広告配信部１２、配信履歴管理部１３、ユーザ情報データベース（ＤＢ）１４、広告情報ＤＢ１５、配信履歴ＤＢ１６、地図情報ＤＢ１７を含む。これらの機能構成要素は、例えば、サーバ１０のプロセッサ１０１が、補助記憶部１０３に記憶された各種プログラムを実行することで提供される機能構成要素である。但し、各機能構成素のいずれか、またはその処理の一部がハードウェア回路により実行されてもよい。また、各機能構成素のいずれか、またはその処理の一部がネットワークＮ１に接続された他のコンピュータにより実行されてもよい。
【００４６】
端末情報取得部１１は、装置３０から送信された端末２０のユーザＩＤ、登録ＩＤを取得する。端末情報取得部１１は、取得した端末２０のユーザＩＤ、登録ＩＤを装置３０の装置ＩＤ、取得した時刻情報と関連付けて主記憶部１０２の所定の領域に一時的に記憶し、当該情報を広告配信部１２に引き渡す。
【００４７】
広告配信部１２は、端末情報取得部１１から引き渡された端末２０のユーザＩＤ、登録ＩＤ等に基づいて、不特定多数の乗客が乗車している車両Ｖ１向けに配信する広告情報を特定する。広告情報の特定は、ユーザ情報ＤＢ１４、広告情報ＤＢ１５を参照して行われる。
【００４８】
ユーザ情報ＤＢ１４は、アプリがインストールされた端末２０のユーザに関する情報を管理する。ユーザに関する情報は、アプリのダウンロードの受け付け時にユーザ情報ＤＢ１４に登録される。広告情報ＤＢ１５は、車両向けに配信される広告情報を管理する。サーバ１０は、例えば、広告主である店舗や施設等が運営するサーバ装置を介して広告情報に関するデータを受け付け、広告情報ＤＢ１５に登録する。なお、広告主には、車両Ｖ１の運行を管理する企業や、車両Ｖ１が運行する地域の公共機関、広告の配信を仲介する広告代理店等が含まれる。
【００４９】
図４は、ユーザ情報ＤＢ１４に格納されるユーザ情報の一例を示す図である。ユーザ情報は、図４に例示のように、ユーザ情報テーブルとして管理される。ユーザ情報テーブル
に登録される情報は、適宜にフィールドの追加、変更、削除が可能である。
【００５０】
図４に例示のユーザ情報テーブルは、ユーザＩＤ、端末ＩＤ、性別、年齢、職業、家族構成、興味、登録ＩＤ、総ポイントの各フィールドを含んで構成される。ユーザＩＤには、ユーザを一意に識別する識別情報（ユーザＩＤ）が格納される。ユーザＩＤは、広告システム１への登録時にアプリがダウンロードされた端末２０を識別する識別情報（端末ＩＤ）と対応付けられて登録される。端末ＩＤには、端末２０を一意に識別する識別情報(
端末ＩＤ)が格納される。端末ＩＤは、端末２０の電話番号、ＩＰアドレス、ＭＡＣアド
レス（Media Access Control address）を含んでもよい。性別には、ユーザの性別を示す情報（男性、女性等）が格納される。年齢には、ユーザの年齢（年代）を示す情報が格納される。職業には、ユーザの職業を示す情報が格納される。職業には、業種や職種を示す情報が含まれてもよい。家族構成には、ユーザの家族構成を示す情報（人数等）が格納される。
【００５１】
興味には、ユーザの趣味や興味のある関心事を示す情報が格納される。当該フィールドに格納される情報は複数の登録が可能であり、図４の例では３つの興味を示す情報が例示されている。例えば、年齢「２０代」の男性であるユーザＩＤ「Ｕ１０１１」では、「自転車」、「旅行」、「映画」が格納され、年齢「３０代」の女性であるユーザＩＤ「Ｕ１０１２」では、「旅行」、「食べ歩き」、「ヨガ」が格納されている。登録ＩＤには、端末２０宛にプッシュ型の配信を受信するための識別情報(登録ＩＤ)が格納される。なお、登録ＩＤに格納される情報は、定期的に更新される。
【００５２】
広告配信部１２は、ユーザＩＤに基づいて、ユーザ情報ＤＢ１４に登録されたユーザに関する情報を特定する。そして、広告配信部１２は、当該ユーザの属性情報（性別、年齢、職業、家族構成、興味等）に基づいて、広告情報との関連性を特定する。
【００５３】
図５は、広告情報ＤＢ１５に格納される広告情報の一例を示す図である。広告情報は、図５に例示のように、広告情報テーブルとして管理される。広告情報テーブルに登録される情報は、適宜にフィールドの追加、変更、削除が可能である。例えば、広告情報の宣伝対象になるユーザの性別や年代等を限定する条件を追加することもできる。
【００５４】
図５に例示の広告情報テーブルは、広告ＩＤ、ジャンル、表示期間、種別、特典情報、広告データ、広告主ＩＤの各フィールドを有する。広告ＩＤには、広告情報を識別する識別情報（広告ＩＤ）が格納される。ジャンルには、広告情報で宣伝される商品やサービスの属する区分が格納される。表示期間には、広告情報を配信する期間を示す情報が格納される。表示期間は、広告情報を表示させるための時間帯を含んでもよい。種別には、広告コンテンツの表示形態を示す情報が格納される。広告コンテンツの表示形態として、静止画像、スライドショー、動画像等が例示される。
【００５５】
特典情報には、広告主等がユーザに提供する特典（クーポン、利用料金の割引き、利用時に付与されるポイント等）の内容が識別番号とともに格納される。なお、特典情報が存在しないときには、当該特典情報が存在しないことを示す情報（例えば、「---」や空欄
等）が格納される。広告データには、広告コンテンツのデータが格納される。但し、広告データに格納される情報は、他のテーブル等に格納された広告データを示す識別番号であってもよい。広告主ＩＤには、広告情報の提供者を識別する識別情報（広告主ＩＤ）が格納される。広告主ＩＤは、例えば、広告情報の提供者に付与された事業者コードである。
【００５６】
図５の例では、広告主ＩＤ「Ｓ２０１１」が表示期間「２０１８／０９／０１−２０１８／０９／３０」において、種別「スライドショー」で提供する広告ＩＤ「Ｔ２０１」が例示されている。広告ＩＤ「Ｔ２０１」は、特典情報「ドリンクサービス（識別番号：Ｘ
１０１）」が付与されたアロマテラピーといった、ジャンル「リラクゼーション」のサービスを宣伝する広告情報である。また、広告ＩＤ「Ｔ２０３」では、種別「静止画」で提供されるジャンル「案内」が例示されている。広告ＩＤ「Ｔ２０３」は、車両Ｖ１の運行を管理する広告主ＩＤ「Ｚ００２」が、運行時間の変更などの案内情報を乗客に提示する広告情報である。
【００５７】
広告配信部１２は、広告情報ＤＢ１５に登録された広告情報のジャンルと、ユーザ情報ＤＢ１４に登録されたユーザの属性情報（性別、年齢、職業、家族構成、興味等）とに基づいて、広告情報とユーザとの関連性を特定する。例えば、図５のジャンル「観光」に区分けされた広告ＩＤ「Ｔ２０２」の広告情報は、図４の興味フィールドに「旅行」、「食べ歩き」が格納されたユーザＩＤ「Ｕ１０１１」、「Ｕ１０１２」との関連性が特定される。
【００５８】
そして、広告配信部１２は、端末情報取得部１１から引き渡されたユーザ（不特定多数のユーザ）の中の、関連性が特定されたユーザの占める割合が所定の閾値（例えば、ユーザの半数）を超えるときには、当該広告情報はユーザ全体に関連する情報として特定する。広告配信部１２は、広告情報がユーザ全体に関連するときには、当該広告情報を装置３０に配信する。広告情報に含まれる広告コンテンツや特典情報は、装置３０の備える表示デバイスを通じて、車両Ｖ１に乗車する不特定多数の乗客に提示される。
【００５９】
また、広告配信部１２は、関連性を有すると特定されたユーザの占める割合が所定の閾値を超えないときには、上記関連性を有する各ユーザのそれぞれの端末２０宛に広告情報を配信する。広告配信部１２は、関連性を有すると特定されたユーザの中の、関連性の高いユーザに対しては広告情報をプッシュ型で配信し、関連性の低いユーザに対しては当該広告情報をプル型で配信する。広告情報のプッシュ型配信は、登録ＩＤに基づいて行われる。
【００６０】
広告配信部１２は、例えば、ユーザ情報テーブルの興味フィールドに格納された趣味や興味のある関心事を示す情報が、広告情報のジャンルに属するときには、当該ユーザを関連性が高いと判断する。例えば、図５のジャンル「リラクゼーション」に区分けされた広告ＩＤ「Ｔ２０１」の広告情報は、図４の興味フィールドに「ヨガ」を格納するユーザＩＤ「Ｕ１０１２」との関連性が高いと特定される。上記以外の場合、例えば、ユーザ情報テーブルの興味フィールド以外の属性情報（性別、年齢、職業、家族構成等）に格納された情報と広告情報のジャンルが関連するときには、当該ユーザを関連性が低いと特定される。
【００６１】
広告配信部１２は、関連性の高いユーザに対しては、端末２０のバイブレーション機能を機能させる振動情報とともに広告情報をプッシュ型で配信する。また、広告配信部１２は、関連性の低いユーザに対しては、端末２０へのタップ操作やスワイプ操作、ボタン操作等の操作の検出を広告情報の読み取りの契機とするプル型で配信する。但し、ユーザの端末２０への検出には、例えば、赤外線ＬＥＤ等を用いた視線検出を含んでもよい。広告配信部１２は、配信後の広告情報を、配信履歴ＤＢ１６に格納する。
【００６２】
図６は、配信履歴ＤＢ１６に格納される配信履歴情報の一例を示す図である。車両向けに配信された広告情報の履歴は、図６に例示のように、装置ＩＤ毎の配信履歴テーブルとして管理される。配信履歴テーブルに登録される情報は、適宜にフィールドの追加、変更、削除が可能である。
【００６３】
図６に例示の配信履歴テーブルは、広告ＩＤ、配信日時、配信形態、端末ＩＤ、特典番号、閲覧ステータスの各フィールドを有する。なお、広告ＩＤ、配信日時、配信形態、端
末ＩＤ、特典番号の各フィールドに格納される情報は、広告情報配信後の広告配信部１２によって登録され、閲覧ステータスフィールドに格納される情報は、配信履歴管理部１３によって登録される。
【００６４】
広告ＩＤには、広告情報を識別する識別情報（広告ＩＤ）が格納される。配信日時には、広告情報を車両向けに配信した日時情報が格納される。配信形態には、広告情報の配信形態が格納される。配信形態として、プッシュ型の配信形態を示す情報（例えば、「プッシュ」等）、プル型の配信形態を示す情報（例えば、「プル」等）、車両Ｖ１に乗車する不特定多数の乗客全体への配信形態を示す情報（例えば、「全体」等）が例示される。
【００６５】
配信先には、広告情報の配信先を示す情報が格納される。配信先として、プッシュ型やプル型の配信形態では端末２０のユーザＩＤ、車両Ｖ１の乗客全体への配信形態では装置３０を識別する装置ＩＤが例示される。端末ＩＤには、端末２０を一意に識別する識別情報(端末ＩＤ)が格納される。なお、配信形態が乗客全体への配信の場合には、端末ＩＤが存在しないことを示す情報（例えば、「---」や空欄等）が格納される。特典番号には、
特典情報として提供される特典の識別番号が格納される。但し、特典情報が存在しない場合には、当該特典情報が存在しないことを示す情報（例えば、「---」や空欄等）が格納
される。
【００６６】
閲覧ステータスには、車両向けに配信された広告情報に対する閲覧ステータスを示す情報が格納される。配信形態が、端末２０向けにプッシュ型、あるいは、プル型で配信されたときには、当該端末向けに配信された広告情報についての閲覧ステータスを示す情報（例えば、閲覧済み場合には「既」、未閲覧の場合には「未」等）が格納される。配信形態が乗客全体の場合には、閲覧済みのユーザの端末ＩＤが格納される。
【００６７】
図３の配信履歴管理部１３は、車両向けに配信された広告情報の閲覧状況を管理する。配信履歴管理部１３は、装置３０を介して、不特定多数の乗客全体向けに配信された広告情報への閲覧状況を取得する。車両Ｖ１に搭載された装置３０は、例えば、表示デバイスに表示された広告情報へのコード情報の読み取り操作を、ネットワークＮ２を通じて各端末から取得する。アプリが実行された端末２０は、コード情報へのカメラ等を介した読み取り操作を検出し、自端末のユーザＩＤに、読み取り操作が行われたことを示す情報（例えば、フラグ情報、特典情報に付与された識別番号）、時刻情報を付加し装置３０宛に送信する。装置３０は、各端末から自装置宛に送信された上記情報を収集し、サーバ１０に送信する。
【００６８】
また、配信履歴管理部１３は、プッシュ型あるいはプル型で広告情報が配信された端末２０から、当該広告情報への閲覧状況を取得する。アプリが実行された端末２０は、自端末に配信されて表示デバイスに表示された広告情報へのメモリ等への保存操作を検出しユーザＩＤに保存操作が行われたことを示す情報（例えば、フラグ情報、特典情報に付与された識別番号、広告ＩＤ等）、時刻情報を付加しサーバ１０宛に送信する。
【００６９】
配信履歴管理部１３は、装置３０あるいは端末２０から送信された広告情報の閲覧状況を取得し、配信履歴ＤＢ１６に格納する。配信履歴管理部１３は、広告情報の閲覧状況を、配信履歴テーブルの閲覧ステータスに格納する。サーバ１０は、閲覧ステータスに基づいて、配信後の広告情報の、配信形態に応じた広告料の徴収が可能になる。例えば、車両内に表示される広告情報は不特定多数のユーザに対する宣伝効果が見込めるため、広告料を相対的に高く設定できる。一方、関連性の低いユーザにプル型で配信される広告情報は、広告料を相対的に低く設定できる。なお、関連性の高いユーザにプッシュ型で配信される広告情報は、広告料を車両内に表示される場合よりも低く、プル型で配信される広告料よりも高く設定できる。
【００７０】
地図情報ＤＢ１７には、地物位置を含む地図データ、当該地図データ上の各地点の特性を示す文字や写真等のＰＯＩ（Point of interest）情報を含む地図情報が格納される。
なお、地図情報ＤＢ１７は、ネットワークＮ１に接続される他のシステム、例えば、ＧＩＳ（Geographic Information System）から提供されてもよい。
【００７１】
（処理の流れ）
次に、図７から図９を参照して、本実施形態に係る広告システム１の処理を説明する。図７から図９の処理は、車両Ｖ１への乗降車のタイミングで定期的に実行される。図７から図８は、サーバ１０、端末２０（端末＃１、端末＃２、端末＃３）、装置３０が実行する処理手順の一例を示すシーケンス図である。
【００７２】
図７において、車両Ｖ１に搭載された装置３０は、当該車両に乗車した不特定多数の乗客（ユーザ）に対して、端末２０のユーザＩＤおよびプッシュ型で配信される広告情報を受信するための登録ＩＤの通知要求を含むビーコン信号を送信する（Ｓ１）。ビーコン信号は、ネットワークＮ２を介して、車両Ｖ１内の不特定多数の乗客の各端末に受信される。ビーコン信号は、装置３０の装置ＩＤとともに各端末に受信される。
【００７３】
ビーコン信号を受信した端末２０は、アプリの実行を介し、自端末のユーザＩＤおよび登録ＩＤをビーコン信号に含まれる装置ＩＤを宛先として送信する（Ｓ２、Ｓ３、Ｓ４）。装置３０は、ビーコン信号に対する応答として、車両Ｖ１内に存在する各端末のそれぞれから送信されたユーザＩＤ、登録ＩＤを取得する。装置３０は、例えば、ユーザＩＤおよび登録ＩＤを端末毎に時刻情報と対応付けて収集する（Ｓ５）。そして、装置３０は、車両Ｖ１に乗車している不特定多数のユーザの、それぞれの端末２０から収集したユーザＩＤ、登録ＩＤをサーバ１０に通知する（Ｓ６）。なお、装置３０は、自車両の位置情報（緯度、経度）を位置情報検出部３０７を通じて取得し、上記通知に含めてもよい。車両Ｖ１の位置情報に基づいて広告情報を選定（例えば、車両Ｖ１の走行位置に近接する店舗等の広告情報）し、不特定多数のユーザに提示できる。車両Ｖ１に乗車している不特定多数のユーザから取得されたユーザＩＤ、登録ＩＤは、装置ＩＤとともにサーバ１０に送信される。
【００７４】
サーバ１０は、装置３０から通知されたユーザＩＤに基づいて、広告情報の配信先や配信形態を特定する（Ｓ７）。Ｓ７の処理の詳細は、図９を用いて説明される。なお、Ｓ７の処理後、図８のＳ８の処理に移行する。
【００７５】
図９は、Ｓ７の詳細な処理の一例を示すフローチャートである。図９の処理は、広告情報ＤＢ１５に登録された広告情報毎に実行される。図９において、サーバ１０は、ユーザ情報ＤＢ１４を参照し、装置３０から通知されたユーザＩＤ毎のユーザ情報を取得する（Ｓ２１）。取得されたユーザＩＤ毎のユーザ情報は、主記憶部１０２の所定の領域に一時的に記憶される。
【００７６】
Ｓ２２の処理では、サーバ１０は、未処理の広告情報が有るかを判断する。サーバ１０は、未処理の広告情報が有る場合には（Ｓ２２、“Ｙｅｓ”）、Ｓ２３の処理に移行し、未処理の広告情報がない場合には（Ｓ２２、“Ｎｏ”）、図８のＳ１９の処理に移行する。
【００７７】
Ｓ２３の処理では、サーバ１０は、広告情報ＤＢ１５を参照し、処理対象の広告情報を取得する。広告情報ＤＢ１５に登録されたデータの中から、広告ＩＤで識別される広告情報のレコードが取得される。取得された処理対象のレコードは、主記憶部１０２の所定の領域に一時的に記憶される。
【００７８】
そして、サーバ１０は、処理対象の広告情報と、車両Ｖ１に乗車しているユーザ全体との関連性を判断する（Ｓ２４）。広告情報とユーザ全体との関連性は、不特定多数のユーザの中の、上記関連性を有すると特定されたユーザの占める割合に基づいて判断される。サーバ１０は、例えば、関連性を有すると特定されたユーザの、全体に占める割合が所定の閾値（例えば、５０パーセント）を超えるときには、処理対象の広告情報は、ユーザ全体に関連すると判断する。同様にして、サーバ１０は、上記関連性を有するユーザの全体に占める割合が、所定の閾値以下のときには、処理対象の広告情報は、ユーザ全体に関連しないと判断する。
【００７９】
サーバ１０は、広告情報がユーザ全体との関連性を有するものと判断する場合には（Ｓ２４、“Ｙｅｓ”）、処理対象の広告情報を図８のＳ８の処理に引き渡し、Ｓ２２の処理に移行する。一方、サーバ１０は、広告情報がユーザ全体との関連性を有しないものと判断する場合には（Ｓ２４、“Ｎｏ”）、Ｓ２５の処理に移行する。
【００８０】
Ｓ２５の処理では、サーバ１０は、関連性の高いユーザが存在することを判断する。例えば、ユーザの趣味や興味のある関心事を示す情報（図４、「興味」フィールドに格納された情報）が、広告情報のジャンル（図５、「ジャンル」フィールドに格納された情報）に属するときには、サーバ１０は、当該ユーザを関連性が高いと判断する。
【００８１】
サーバ１０は、関連性の高いユーザが存在する場合には（Ｓ２５、“Ｙｅｓ”）、Ｓ２６の処理に移行する。一方、サーバ１０は、関連性の高いユーザが存在しない場合には（Ｓ２５、“Ｎｏ”）、Ｓ２７の処理に移行する。Ｓ２６の処理では、サーバ１０は、関連性の高いユーザのユーザＩＤ、登録ＩＤを抽出し、処理対象の広告情報とともに図８のＳ９の処理に引き渡す。Ｓ２６の処理後、Ｓ２２の処理に移行される。
【００８２】
Ｓ２７の処理では、サーバ１０は、関連性の低いユーザが存在することを判断する。サーバ１０は、例えば、ユーザ情報テーブルの興味フィールド以外の属性情報（性別、年齢、職業、家族構成等）に格納された情報と広告情報のジャンルが関連するときには、サーバ１０は、当該ユーザを関連性が低いと判断する。
【００８３】
サーバ１０は、関連性の低いユーザが存在する場合には（Ｓ２７、“Ｙｅｓ”）、Ｓ２８の処理に移行する。一方、サーバ１０は、関連性の低いユーザが存在しない場合には（Ｓ２７、“Ｎｏ”）、Ｓ２２の処理に移行する。Ｓ２８の処理では、サーバ１０は、関連性の低いユーザのユーザＩＤを抽出し、処理対象の広告情報とともに図８のＳ１０の処理に引き渡す。Ｓ２８の処理後、Ｓ２２の処理に移行される。
【００８４】
図８のＳ８の処理において、サーバ１０は、Ｓ２４の処理から引き渡された広告情報を装置３０に配信する（車両内へ全体配信）。装置３０は、配信された広告情報を表示部３０４に表示する（Ｓ１１）。広告情報に含まれる広告コンテンツや特典情報は、車両Ｖ１内に設けられた表示デバイスを通じて、当該車両に乗車している不特定多数のユーザに提示される。
【００８５】
広告情報には、当該情報にアクセスするためのコード情報（例えば、２次元コード）が含まれる。表示部３０４に提示された広告情報の内容や特典情報に関心のあるユーザは、例えば、端末２０のカメラ等を介してコード情報の読み取り操作を行う。アプリが実行された端末２０は、コード情報の読み取り操作を検出し、読み取り操作が行われたことを示す情報（例えば、フラグ情報、特典情報に付与された識別番号）を時刻情報とともに装置３０宛に送信する（Ｓ１２、閲覧通知）。図８の例では、「端末＃１」の端末２０からの閲覧通知が、ユーザＩＤとともにネットワークＮ２を通じて装置３０に送信される。
【００８６】
装置３０は、不特定多数の乗客全体向けに提示された広告情報への、読み取り操作が行われた各端末からネットワークＮ２を通じて閲覧通知を取得・収集する（Ｓ１３）。そして、装置３０は、収集した各端末の閲覧通知を、車両Ｖ１に乗車している不特定多数のユーザの広告情報への閲覧状況としてサーバ１０に通知する（Ｓ１４）。
【００８７】
また、Ｓ９の処理では、サーバ１０は、Ｓ２６の処理から引き渡された広告情報を、プッシュ型で配信される広告情報を受信するための登録ＩＤを用いて、ユーザＩＤで指定される端末２０宛に配信する（プッシュ型配信）。広告情報は、端末２０のバイブレーション機能を機能させる振動情報とともに配信される。
【００８８】
図８の例では、「端末＃２」の端末２０宛に広告情報がプッシュ型で配信される。アプリが実行された端末２０は、振動情報に基づいて当該端末のバイブレーション機能を機能させるとともに、配信された広告情報を表示デバイスに表示させる（Ｓ１５）。
【００８９】
表示デバイスに表示された広告情報の内容や特典情報に関心のあるユーザは、例えば、当該広告情報のメモリへの保存操作を行う。アプリが実行された端末２０は、表示デバイスに表示された広告情報の保存操作を検出し、保存操作が行われたことを示す情報（例えば、フラグ情報、特典情報に付与された識別番号、広告ＩＤ等）を時刻情報とともにサーバ１０宛に送信する（Ｓ１６、閲覧状況の通知）。図８の例では、「端末＃２」の端末２０からの閲覧状況の通知が、ユーザＩＤとともにネットワークＮ１を通じてサーバ１０に送信される。
【００９０】
また、Ｓ１０の処理では、サーバ１０は、Ｓ２８の処理から引き渡された広告情報を、ユーザＩＤで指定される端末２０へのユーザ操作の検出を配信契機とするプル型で配信する（プル型配信）。図８の例では、「端末＃３」の端末２０がプル型で広告情報を配信する対象端末である。アプリが実行された端末２０は、自端末へのタップ操作やスワイプ操作、ボタン操作等の操作を検出すると、プル型で配信される広告情報の配信要求をサーバ１０に送信する（Ｓ１７、操作の検出通知）。サーバ１０は、配信対象の端末２０からの操作の検出通知を契機として、Ｓ２８の処理から引き渡された広告情報を配信する。アプリが実行された端末２０は、操作の検出通知に応じて配信された広告情報を表示デバイスに表示させる。
【００９１】
プル型で広告情報が配信されたユーザは、表示デバイスに表示された当該広告情報の内容や特典情報に関心があるときには、当該広告情報のメモリへの保存操作を行う。アプリが実行された端末２０は、Ｓ１７の処理と同様にして閲覧状況の通知をサーバ１０宛に送信する（Ｓ１８）。図８の例では、「端末＃３」の端末２０からの、プル型で配信された広告情報に対する閲覧状況の通知が、ユーザＩＤとともにネットワークＮ１を通じてサーバ１０に送信される。
【００９２】
サーバ１０は、装置３０から送信された閲覧状況を取得する。また、サーバ１０は、プッシュ型あるいはプル型で広告情報が配信された各端末の閲覧状況の通知を取得する。サーバ１０は、取得された広告情報の閲覧状況を配信履歴ＤＢ１６に記録する（Ｓ１９）。サーバ１０は、車両内へ全体配信された広告情報、プッシュ型あるいはプル型で各端末宛に配信された広告情報の閲覧状況を、配信履歴テーブルの閲覧ステータスに格納する。広告情報が、端末２０向けにプッシュ型、あるいは、プル型で配信されたときには、閲覧ステータスを示す情報（例えば、閲覧済み場合には「既」、未閲覧の場合には「未」等）が格納される。また、広告情報が、車両内へ全体配信されたときには、装置３０を介して収集された閲覧済みのユーザＩＤに対応する端末ＩＤが格納される。
【００９３】
以上の処理により、本実施形態に係るサーバ１０は、広告情報と車両Ｖ１に乗車する不特定多数の乗客全体との関連性に基づいて当該広告情報を車両向けに配信できる。また、本実施形態に係るサーバ１０は、広告情報が不特定多数の乗客全体と関連しない場合であっても、関連性を有する乗客の端末２０宛に当該広告情報を配信できる。
【００９４】
例えば、関連性の高い乗客には、気付きを喚起する端末２０の振動とともに広告情報を提示（プッシュ型配信）し、関連性の低い乗客には端末２０の操作を契機として広告情報を提示（プル型配信）できる。振動とともに端末２０に配信される広告情報は、当該乗客との関連性が高く当該広告情報への注意を喚起できるため、閲覧される蓋然性を高めることができる。また、乗客との関連性が低い広告情報であっても、端末２０への操作を契機として配信・表示できるため、当該広告情報への閲覧が期待できる。
【００９５】
本実施形態の広告システム１によれば、広告情報と不特定多数の乗客との関連性に基づいて広告情報の配信形態の選別（全体提示、関連性の高い乗客に提示、関連性の低い乗客に提示）が可能になり、配信された広告情報への閲覧の蓋然性を高めることができる。本実施形態によれば、不特定多数の乗客にとって必要とされる広告情報を効果的に配信する車両向けの配信技術が提供できる。
【００９６】
＜その他の実施形態＞
上記の実施形態はあくまでも一例であって、本実施の形態の開示はその要旨を逸脱しない範囲内で適宜変更して実施しうる。本開示において説明した処理や手段は、技術的な矛盾が生じない限りにおいて、自由に組み合わせて実施することができる。
【００９７】
また、１つの装置が行うものとして説明した処理が、複数の装置によって分担して実行されてもよい。あるいは、異なる装置が行うものとして説明した処理が、１つの装置によって実行されても構わない。コンピュータシステムにおいて、各機能をどのようなハードウェア構成（サーバ構成）によって実現するかは柔軟に変更可能である。
【００９８】
情報処理装置その他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
【００９９】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリなどのメモリカード等がある。また、コンピュータ等に固定された記録媒体としてハードディスクやＲＯＭ等がある。
【符号の説明】
【０１００】
１      広告システム
１０    広告配信サーバ
１１    端末情報取得部
１２    広告配信部
１３    配信履歴管理部
１４    ユーザ情報ＤＢ
１５    広告情報ＤＢ
１６    配信履歴ＤＢ
１７    地図情報ＤＢ
２０    ユーザ端末
３０    車載装置
【図１】
2020064369.tif 000003
【図２】
2020064369.tif 000004
【図３】
2020064369.tif 000005
【図４】
2020064369.tif 000006
【図５】
2020064369.tif 000007
【図６】
2020064369.tif 000008
【図７】
2020064369.tif 000009
【図８】
2020064369.tif 000010
【図９】
2020064369.tif 000011